(57)【要約】【課題】データ書き換え回数が制限されている記録媒体に対して良好にデータを書き込む。【解決手段】本発明によれば、データの書き換え保証回数が第１の所定回数に制限された第１の記録領域と前記第１の所定回数よりも少ない第２の所定回数に制限された第２の記録領域とを有する記録媒体に対して情報データを書き込む装置であって、  前記第１の記録領域の記録残量が所定量未満となった場合に前記第２の記録領域に対して前記情報データを書き込む記録装置が提示される。【選択図】      図２
2004259349.tif 000002
【特許請求の範囲】
【請求項１】
データの書き換え保証回数が第１の所定回数に制限された第１の記録領域と前記第１の所定回数よりも少ない第２の所定回数に制限された第２の記録領域とを有する記録媒体に対して情報データを書き込む装置であって、前記第１の記録領域の記録残量が所定量未満となった場合に前記第２の記録領域に対して前記情報データを書き込むことを特徴とする記録装置。
【請求項２】
前記第２の記録領域に対する前記情報データの書き込みに伴い、所定の警告情報を表示手段に表示することを特徴とする請求項１記載の記録装置。
【請求項３】
前記第１の記録領域の記録残量が所定量未満となった場合に前記第２の記録領域と前記第１の記録領域とにおいて前記情報データを記録可能な残量を表示手段に表示することを特徴とする請求項１記載の記録装置。
【請求項４】
前記第１の記録領域の記録残量が前記所定量異常である場合には前記第２の記録領域に対する前記情報データの書き込みを停止することを特徴とする請求項１記載の記録装置。
【請求項５】
前記情報データは画像データを含み、前記所定量は１画面分の前記画像データの情報量であることを特徴とする請求項１記載の記録装置。
【請求項６】
データの書き換え保証回数が制限されている記録媒体であって、
書き換え保証回数が他の記録領域よりも少ない所定の記録領域を、前記他の記録領域においてデータの記録残量が少なくなった場合の予備領域として用いることを特徴とする記録媒体。
【請求項７】
データの書き換え保証回数が第１の所定回数に制限された第１の記録領域と前記第１の所定回数よりも少ない第２の所定回数に制限された第２の記録領域とを有する記録媒体に対して情報データを書き込む方法であって、前記第１の記録領域の記録残量が所定量未満となった場合に前記第２の記録領域に対して前記情報データを書き込むことを特徴とする記録方法。
【発明の詳細な説明】
【０００１】
【発明の属する技術分野】
本発明は記録装置に関し、特に、書き換え回数が制限された記録媒体に対してデータを記録する装置に関する。
【０００２】
【従来の技術】
従来、撮影した画像をデジタル信号としてメモリカードなどに記録するデジタルカメラが知られている。
【０００３】
通常、デジタルカメラでは、何度でもデータの書き換えが可能な不揮発性のメモリカードを記録媒体として用いている。
【０００４】
図３はこの様なメモリカードの構成を模式的に示した図である。
【０００５】
これらのメモリカードは、一般的にはフラッシュメモリを内部に実装しており、実際に使用する状態においては、自由にデータを書き換えできるよう、数万回以上のデータ書き換え回数を保証したメモリを実装している。これを図３のＮで示す。また、物理的な欠陥や経時変化などでメモリセルの一部に書き換えが不能な欠陥セルが生じた場合に備えて、余分な正常メモリセルを予め確保している。そして、不良セルが生じた場合に、正常セルで置き換えるような制御手段をカード内に内蔵している。この余分に設けたメモリセルを図３のＲで示す。
【０００６】
この様なメモリカードについて、下記の特許文献に開示されている。
【０００７】
これらの結果、カードの書き換え回数を保証するためのメモリの歩留まりの低下や、不良セルの置き換え分の余分なメモリの確保、更に、置き換えのための制御手段などの要因により、カードのコストアップにつながってしまう。
【０００８】
そこで、低コスト化のために、書き換え回数の保証に制限を設けた低コストのカード（以下制限カード）が考えられている。
【０００９】
図４に、この種の制限カードの様子を示す。
【００１０】
図４において、Ａ０、Ａ１、Ａ２、Ａ３、Ａ４は、例えば書き換え回数を数回に制限した領域、Ｂ０、Ｂ１、Ｂ２は温度条件や電圧条件など広範な環境下での書き換えは保証できないないが、常温や電圧条件等が良ければ正常に書き換えが行われる可能性が高い領域、Ｃは環境条件等を考慮しても書き換えができない不良領域である。
【００１１】
繰り返しデータの書き換えを保証している従来のカードでは、このように、書き換えが数回しかできないようなカードは、不良品として廃棄されることになる。
【００１２】
【特許文献１】
特開平５−１５０９１３号公報
【００１３】
【発明が解決しようとする課題】
さて、繰り返し書き換え可能な従来のメモリカードに対応したデジタルカメラにおいて、図４の様に書き換え保証回数を数回に限定したカードを、通常のメモリカードの代わりに用いた場合、数回データを書き換えた時点でデータの書き込みができなくなってしまい、故障と同様の症状になってしまう。
【００１４】
また、最悪の場合、記録したデータを破壊してしまうことも考えられる。
【００１５】
本発明はこの様な問題を解決し、データ書き換え回数が制限されている記録媒体に対して良好にデータを書き込むことができる記録装置を提供することを目的とする。
【００１６】
【課題を解決するための手段】
この様な問題を解決するため、本発明においては、データの書き換え保証回数が第１の所定回数に制限された第１の記録領域と前記第１の所定回数よりも少ない第２の所定回数に制限された第２の記録領域とを有する記録媒体に対して情報データを書き込む装置であって、前記第１の記録領域の記録残量が所定量未満となった場合に前記第２の記録領域に対して前記情報データを書き込む構成とした。
【００１７】
【発明の実施の形態】
図１は、本発明を適用したデジタルＶＴＲの構成を示す図である。
【００１８】
図１において、１０は撮影レンズ、１２は絞りやシャッタなどの露光量制御部材、１４は光学像を電気信号に変換するＣＣＤなどの撮像素子、１６は撮像素子１４のアナログ信号出力をデジタル信号に変換するＡ／Ｄ変換器、１８はタイミング発生回路であり、撮像素子１４、Ａ／Ｄ変換器１６、Ｄ／Ａ変換器２６にクロック信号や制御信号を供給する。これはメモリ制御回路２２及びシステム制御回路５０により制御される。
【００１９】
２０は画像処理回路であり、Ａ／Ｄ変換器１６からのデータ或いはメモリ制御回路２２からのデータに対して所定の画素補間処理や色変換処理を行う。また、画像データを下に露光量制御や測距制御のための演算処理処理などを行っている。
【００２０】
２２はデータフロー制御回路であり、Ａ／Ｄ変換器１６、タイミング発生回路１８、画像処理回路２０、画像表示メモリ２４、Ｄ／Ａ変換器２６、メモリ３０、圧縮・伸長回路３２などの間でデータの入出力を制御する。撮影記録時にはＡ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示用メモリ、２６はＤ／Ａ変換器、２８はＬＣＤ表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。
【００２２】
３０は撮影した静止画像や動画像を格納するためのメモリであり、所定枚数の静止画像や所定時間の動画像を処理するために一時的に格納するのに十分な記憶量を備えている。また、メモリ３０はシステム制御回路５０の作業領域としても使用することが可能である。
【００２３】
３２は画像データを圧縮伸長する圧縮・伸長回路であり、メモリ３０に格納された画像を読み込んで圧縮処理或いは伸長処理を行い、処理を終えたデータをメモリ３０に書き込む。
【００２４】
３１はテープへ記録するための処理回路で、例えばデジタルビデオのフォーマット形式に合うように信号を変換する。３３は磁気テープで、不図示のテープの走行やテープドラムの回転を制御する制御駆動手段によって適切に制御され、画像データの記録、再生が行われる。４０は絞りやシャッタなど露光量制御部材１２を制御する露光制御手段である。４２は撮影レンズ１０のフォーカシングを制御する測距制御手段、４４は撮影レンズ１０のズーミングを制御するズーム制御手段であり、撮像した画像データを画像処理回路２０によって演算した演算結果に基づき、システム制御回路５０が露光制御手段４０、測距制御手段４２に対して制御を行う。
【００２５】
５０は画像処理装置１００全体を制御するシステム制御回路、５２はシステム制御回路５０の動作用の定数、変数、プログラム等を記憶するフラッシュＲＯＭなどのメモリである。
【００２６】
６０はモード設定スイッチ部材で、電源オフ、撮影記録モード、再生モード、消去モードやネットワーク接続モードや、媒体の選択等の各機能モードを切り替え設定することが出来る。
【００２７】
６２は静止画撮影トリガスイッチ、６４は動画撮影トリガスイッチ、７０は各種ボタンやタッチパネル等からなる操作部で、ズームスイッチ、メニューボタン、セットボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン等がある。
【００２８】
８０は電源部で、不図示の電池またはＡＣアダプタなどを介して、本体内部に電源を供給する。９０はメモリカードなどの記録媒体とのインターフェイス、９２はメモリカード等の記録媒体と接続を行うコネクタ、９８はコネクタ９２に記録媒体２００が装着されているか否かを検知する記録媒体着脱検知手段である。
【００２９】
９９はコネクタ９２に装着された記録媒体の誤消去防止爪の状態を検知する誤消去防止爪検知手段である。１１１はテープ記録媒体３３が装着されているか否かを検知する記録媒体着脱検知手段である。１１２はテープ記録媒体３３に装着された記録媒体の誤消去防止爪の状態を検知する誤消去防止爪検知手段である。
【００３０】
１１０は外部機器との通信制御部であり、例えばＰＣと接続するためのＵＳＢなどの機能を有す。
【００３１】
２００はメモリカード等の交換可能な記録媒体または各種ＩＯカードである。ここでは２００は記録媒体つまり、半導体メモリや磁気ディスク等から構成されるメモリカードで、インターフェイス２０４を介して装置１００と接続を行うコネクタ２０６を備えている。
【００３２】
本形態では、メモリカード２００として、図３に示した通常のメモリカードと、図４に示した制限カードとを使用して画像データを記録することができる。
【００３３】
次に、メモリカード２００に対する画像データの記録に伴う処理について図２のフローチャートを用いて説明する。
【００３４】
図１のデジタルＶＴＲの電源が投入され、静止画トリガスイッチ６２によりメモリカード２００に対する画像の記録指示があった時点で図二のフローがスタートする。
【００３５】
まず、メモリカードの記録可能な残容量を調べる（ステップＳ２０１）。なお、図４の制限カードの場合、ここでは図４のＡ０〜Ａ４の領域、即ち書き換えが保証されている領域の記録残量である。
【００３６】
この結果、記録可能な画像の枚数が１枚未満かどうかを判断し（ステップＳ２０２）、１枚以上であれば、撮影可能な枚数を表示部２８に表示し（ステップＳ２０３）、通常の撮影動作を行ってステップＳ２０１に戻る（ステップＳ２０４）。
【００３７】
また、記録可能枚数が１枚未満であった場合、装着されているメモリカードの種別を判断する（ステップＳ２０５）。
【００３８】
そして、制限カードであった場合、メモリ上の書き換えが保証されていない第２の領域、即ち図４の領域Ｂ０〜Ｂ２について、残容量を調べる（ステップＳ２０６）。その結果、記録可能な画面数が１画面未満かどうか判別し（ステップＳ２０７）、１枚以上ある場合には、書き換えが保証されない領域に画像データを書き込む旨の情報を表示部２８に表示して（ステップＳ２０８）ステップＳ２０３に進み、画像データを記録する。
【００３９】
また、残容量が１枚未満の場合、表示部２８に対して、残量が０枚であり撮影不能である旨の情報を表示し、終了する（ステップＳ２０９）。
【００４０】
一方、ステップＳ２０５において、繰り返し書き換えが可能な通常のカードの場合は、記録残り容量が１枚分に満たないので、表示部２８に対して、残量が０枚であり撮影不能である旨の情報を表示し、終了する（ステップＳ２０９）。
【００４１】
なお、前述の実施形態では、制限カードを使用して残容量が１画面未満となった場合、環境条件にかかわらず第２の領域に記録するようにしているが、温度、電圧条件など、第２の領域に記録する環境条件を満たしているかどうかを判断して、条件を満たしているときのみ第２の領域に記録するように制御しても良い。
【００４２】
これにより、保証されない第２の領域に対しても確実性を向上させることができる。
【００４３】
この様に、本形態によれば、データの書き換えが保証されない記録領域があった場合でも、書き換え不能による故障と判断せず、データの書き込みが保証できない旨を表示した上で画像データの書き込みのために使用する構成としたので、通常のカードの代わりに制限されたカードを使用した場合にも記録されたデータを破壊してしまうことが無い。
【００４４】
また、書き換え回数が制限されたカードを有効に使用することが可能となる。
【００４５】
【発明の効果】
以上説明した様に、本発明によれば、書き換え保証回数が制限された記録媒体に対して、良好に情報データを記録することができる。
【図面の簡単な説明】
【図１】本発明が適用されるデジタルＶＴＲの構成を示す図である。
【図２】本発明の実施形態の動作を示すフローチャートである。
【図３】通常のメモリカードの様子を示す図である。
【図４】書き換え保証回数が制限されたメモリカードの様子を示す図である。
【図１】
2004259349.tif 000003
【図２】
2004259349.tif 000004
【図３】
2004259349.tif 000005
【図４】
2004259349.tif 000006